【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
底を有する筒体の側面に通水口を設け、上面には開閉自在の蓋を取り付け、蓋の閉止状態を保持するロック機構を設けて、筒体の水中での振動によりロック機構が解除するように構成した、こませ籠。
【請求項２】
前記筒体に、ロック機構解除後の、筒体と蓋との開口巾を多段階に手動で変更設定できる、ストッパーを設け、こませ放出量を調節出来る構造にした、請求項１に記載の、こませ籠
【請求項３】
前記筒体を水中で振動させるとロック機構を解除し、続いて筒体を振動させると、ロック機構解除後の筒体と蓋との開口巾を一段階ずつ多段階に変更できるロック機構の凸部を設けて、こませをまく量を調節出来る構造にした、請求項１に記載の、こませ籠。
【請求項４】
筒体の側面に通水口を設け、上面には固定の蓋を、下面には開閉自在の蓋を取り付け、蓋の閉止状態を保持するロック機構を設けて、水中での筒体の振動によりロック機構が解除するようにした筒体に、ロック機構解除後の、筒体と蓋との開口巾を多段階に手動で変更設定できる、ストッパーを設け、こませ放出量を調節出来る構造にした、こませ籠
【請求項５】
筒体の側面に通水口を設け、上面には固定の蓋を、下面には開閉自在の蓋を取り付け、蓋の閉止状態を保持するロック機構を設けて、水中での筒体の振動によりロック機構が解除するようにした筒体に、続いて筒体を振動させると、ロック機構解除後の筒体と蓋との開口巾を一段階ずつ多段階に変更できるロック機構の凸部を設けて、こませをまく量を調節出来る構造にした、こませ籠。
【請求項６】
前記筒体に、取手を取り付け、籠上昇時のセンタリングを良くする構造にした、請求項１から請求項５に記載の、こませ籠

【手続補正２】
【補正対象書類名】明細書
【補正対象項目名】全文
【補正方法】変更
【補正の内容】
【発明の詳細な説明】
【発明の名称】こませ籠
【技術分野】
【０００１】
本発明は、魚釣り時に於いて、目的の棚で筒体の蓋が開き、こませを放出できる、こませ籠に関するものである。
【背景技術】
【０００２】
【特許文献１】公開特許公報(A)     特開平１０−１１７６５３
【特許文献２】公開特許公報(A)     特開平１１−１０３７４３
【特許文献３】公開特許公報(A)     特開２０００−４１５５６
【特許文献４】公開特許公報(A)     特開２０００−８３５４４
【特許文献５】公開特許公報(A)     特開２００４−７３１６１
【特許文献６】公開特許公報(A)     特開平０８−１７２９９１
【特許文献７】公開特許公報(A)     特開２０００−６０３９１
【特許文献８】公開特許公報(A)     特開２００３−３３３９６６
【特許文献９】実用新案公報（Ｙ２）実公平０７−０５５９０５  特開平１０−１１７６５３は機構が複雑でコストが高くなる。  特開平１１−１０３７４３・特開２０００−４１５５６は磁石で釣り針付仕掛けを仮着させ、目的の棚で海中に放つ物であるが、磁力伝道回路を切る物ではなく、こませ籠を上下振動させることで、ふるい落とす物で、確実性がない。  特開２０００−８３５４４・特開２００４−７３１６１は磁力を利用してこませを出す開口部を操作する物であるが、複雑でコストが高くなるし機構は違う。  特開平０８−１７２９９１は２点吊り片開きの物と類似しているが、機構は違う。  特開２０００−６０３９１はすばらしい機能だが、機構が複雑でコストがかなり高くなる。  特開２００３−３３３９６６は籠底のリングで蓋仮止めをして、道糸を急激に引き上げる動作で、蓋を開口する物で機構が違う。  実公平０７−０５５９０５は底蓋が開く物で、機構は違う。
【発明の開示】
【発明が解決しようとする課題】
【０００３】
こませ籠の特許・実用新案の案の中には製品化され市販している物も有るが、一般に普及しているのは円筒形で底に錘が付いていて、円筒外周は網目状に成った物で上部は開口していてドリブン籠と呼ばれている物である。これは上部が開口しているため、海面から目的の棚迄、こませは放出され続け、棚が深い程こませ効果は下がる、このこませ効果が下がるのを多少でもカバーする為、籠の直径を大きくしたり筒の長さを、長くしたりしている、このこませ効果が下がらない様にし、目的の棚でこませを、任意量程、出来るだけ長い時間、放出出来る物を、低コストで作る事が課題である。
【課題を解決するための手段】
【０００４】
上記課題を解決するために、第一の発明は、底を有する筒体の側面に通水口を設け、上面には開閉自在の蓋を取り付け、蓋の閉止状態を保持するロック機構を設けて、水中での筒体の振動（シャクリ）によりロック機構が解除するように構成した、こませ籠を提供する。
第二の発明は、第一の発明の筒体に、ロック機構解除後の、筒体と蓋との開口巾を多段階に手動で変更設定できる、ストッパーを設け、こませ放出量を調節出来る構造にした、こませ籠を提供する。
第三の発明は、第一の発明の筒体に、筒体を水中で振動させるとロック機構を解除し、続いて筒体を振動させると、ロック機構解除後の筒体と蓋との開口巾を一段階ずつ多段階に変更できるロック機構の凸部を設けて、こませをまく量を調節出来る構造にした、こませ籠を提供する。
第四の発明は筒体の側面に通水口を設け、上面には固定の蓋を、下面には開閉自在の蓋を取り付け、蓋の閉止状態を保持するロック機構を設けて、水中での筒体の振動によりロック機構が解除するようにした筒体に、ロック機構解除後の、筒体と蓋との開口巾を多段階に手動で変更設定できる、ストッパーを設け、こませ放出量を調節出来る構造にした、こませ籠を提供する。
第五の発明は、筒体の側面に通水口を設け、上面には固定の蓋を、下面には開閉自在の蓋を取り付け、蓋の閉止状態を保持するロック機構を設けて、水中での筒体の振動によりロック機構を解除し、続いて筒体を振動させると、ロック機構解除後の筒体と蓋との開口巾を一段階ずつ多段階に変更できるロック機構の凸部を設けて、こませをまく量を調節出来る構造にした、こませ籠を提供する。
第六の発明は、第一の発明から第五の発明を備えた筒体に取手を取り付け、籠上昇時のセンタリングを良くする構造にした、こませ籠を提供する。
【０００５】
０００３項の目的の棚の設定方法は棚が底近くの場合は籠を底まで落とし、そこを基準に何メートル上と決めて設定し、棚がそのほかの場合は、両手を広げた巾（身長によっては多少変わるが、自分の巾を事前に知っていれば両手を広げた巾を何回分として設定）一回分を釣人は一般的に「ひとひろ」と呼び、棚迄の距離が何ひろで設定する位置になるか計算し、道糸に道糸とは色の違う弾性体で出来た目印（浮きどめ）を通し設定し、設定した棚に来ると目印が現れてくる事で棚に到達したことを知る、又は竿の長さを基準にして、竿何本分として設定する場合もある。
【０００６】
０００４項の筒体の振動（シャクリ）について、慣性の法則により籠が目的の棚に到達し停止しているとき、急激に上方向に引っ張る力が掛かると、逆に止まり続けようとする反力が働く、この反力により、ロック機構（蓋仮クランプ機構）は解除され、更に開口巾変更機構を一段階ずつ多段階に開口巾を、広くすることが出来る。
【発明の効果】
【０００７】
目的の棚迄こませが出ない上に、更にこませ放出量を調節出来る様にした事で、目的の棚でこませを、任意量程、出来るだけ長い時間、放出出来る籠が、低コストで出来る様になった。
【０００８】
目的の棚で筒体の振動（シャクリ）が入る迄、蓋の閉止状態を保持するロック機構（蓋仮クランプ機構）を設け、目的の棚迄こませが出ない上に、更にこませ放出量を調節出来る構造にした事で、筒体の容積を２−１０倍大きくし、こませ詰め込み回数を、数分の１にする事が出来る様にした。                  
【０００９】
目的の棚迄、蓋の閉止状態を保持するので、活きえび・生きかに・活きフナ虫の様な活き餌も、こませにして使える様になった。
【００１０】
筒体を大きくし、その上多数の通水口を大きくすれば、オキアミ・あけみ・魚の切り身等の、専用こませ籠にもできる。
【００１１】
蓋をして、更に錘を付け替えられる様にした事で棚が深くても、こませ効果が落ちないので、ドリブン籠の種類を８号  １０号  １５号  ２０号  ２５号  ３０号  ３５号  それ以上と７−８種類有るのを大・中・小の３種類くらいでよくなるようにした。
【発明を実施するための最良の形態】
【００１２】
筒体の蓋が片開き・両開き・複数枚開き・全開きと有り、蓋の閉止状態を保持するロック機構（蓋仮クランプ機構）も色々考えられ、又こませ放出量もストッパーを手動で段階的に調節するもの、筒体の振動（シャクリ）を入れる回数で、蓋と筒体との開口巾が変更出来る物、調節出来ない物、籠にこませを詰め込む回数を少なくする様にした物、今迄こませ籠では使用できなかった活きえさ等が使える様に出来た物などが有り、その中で、コスト面ではシンプルで製作し易い物を選び、機能面では籠上げ下げ時の、籠のセンタリングの良さ（最近は踊る籠と称して籠につばを付け、上下時わざと揺動さす様にした物が市販されているが、きつい揺動は集まった魚を、け散らかし更に魚の警戒心が強くなり、籠が回転し仕掛けや道糸に撚りが掛かり、もつれや糸切れにつながる）で選び、後はこませ放出量が調節出来、出来るだけ長い時間放出する物の中で、低コストで製造出来る物を選ぶのが最良の形態である。
【実施例】
【００１３】
請求項１−６には、錘の付いた筒体の底に穴を明け、追加錘が吊り下げられるようにするか、又は錘の付いていない筒体の底、又は底蓋に錘吊り下げ糸結び部５１（又は３１）を設け、それに錘吊り下げ糸とスナップサルカン６を付け、錘４を取り付け又は取り替えられる、錘取替え機構が付いているものとする。
【００１４】
請求項１の中で両開きの物で図１−図３の様に蓋２１を締めそれを蓋２２で押さえると同時に蓋２２に付いている、蓋の閉止状態を保持するロック機構（蓋仮クランプ機構）の凸で、筒体本体に付いている蓋の閉止状態を保持するロック機構（蓋仮クランプ機構）の凹に押し込みロックし、目的の棚に到達したときに、その筒体の振動（シャクリ）が入ると、ロック機構（蓋仮クランプ機構）は解除されて、こませを放出する構造にした、こませ籠。
【００１５】
磁石又は磁石にくっつき磁力を伝道する磁力伝導体を使用した、蓋の閉止状態を保持するロック機構（蓋仮クランプ機構）７２を設け、更に釣針付仕掛けを、磁石にくっつき磁力を伝道する磁力伝導体に仮着し、目的の棚に到達したときに、筒体の振動（シャクリ）が入ると、ロック機構（蓋仮クランプ機構）を解除し、その上に磁石と、磁石にくっつき磁力を伝道する磁力伝導体とに、磁力が伝道しなくなるので、磁力伝導体に仮着させた、釣針付仕掛けは、仮着解除され、海中に放たれることで、釣針付仕掛けが、道糸やさびき釣り仕掛け及びこませ籠等に、からまない様にすると同時に、こませをも放出する構造にした、こませ籠（図９・図１０・図１２・図１３）。
【００１６】
図１・図２・図３の籠の、使用手順を図４で説明する、まず（ａ）で筒体の蓋２１・２２を開け、こませを入れる、次に（ｂ）で蓋２１を先に閉め、次に蓋２２を閉める、これで蓋は、蓋の閉止状態を保持するロック（蓋仮クランプ）状態になる、次に（ｃ）で海中に投入し、目的の棚に到達する、次に（ｄ）で糸３を介して、筒体の振動（シャクリ）が入ると、ロック機構（蓋仮クランプ機構）７１が解除され蓋２１・２２が開き、更に上昇する時の蓋は「ハ」の字の様に成り、下降する時は、（ｅ）の様になり、この時こませは放出されるが、図のタイプの籠は一度に全部放出されるのでは無く、数回に分けて放出される、こませ籠。
【００１７】
請求項１の中で片開き蓋の物で、図１１に示す様な蓋の閉止状態を保持するロック機構（蓋仮クランプ機構）解除後に、籠吊り下げ糸の役割をする糸（数本）３４に、数個輪を作り、この輪の何処にスナップサルカン６を引っ掛けるかで、ロック機構（蓋仮クランプ機構）解除後の筒体と蓋との開口巾を、手動で多段階に変更出来る様にし、こませの放出量を変更設定できる構造にした、こませ籠
【００１８】
請求項６で片開き蓋の物で、図１２の９の様な形の（複数本の）取手をつけ、糸３に筒体の振動（シャクリ）が入る事で、蓋の閉止状態を保持するロック機構（蓋仮クランプ機構）は解除し更に上昇する時は、蓋は図１３の２点鎖線のようにセンタリングが良くなり、下降する時は実線の開口した蓋のようになる構造にした、こませ籠。
【００１９】
請求項２又は請求項４の中で片開き蓋の物で図１７の９５の様な（複数本）の取手をつけ、蓋と筒体との開口巾を手動で変更出来るストッパー９１を取手に設け、図１８の蓋２７の様に蓋が開口しても、蓋がストッパーで止まる様に蓋形状を変え、ストッパーを指で出し入れする事で、多段階に開口巾を変更出来、こませの放出量を変更できる構造にした、こませ籠。
【００２０】
請求項１の中で全開き蓋の物で、図５・図６・図７・図８の様に円周上に、数箇所設けた蓋吊り下げ糸３２により、蓋の閉止状態を保持するロック機構（蓋仮クランプ機構）解除後の籠が吊り下げられる様にし、こませを放出する構造にした、こませ籠。
【００２１】
請求項2又は請求項４の中で全開き蓋の物で図１４の９０の様な取手をつけ、更に蓋が上下動する時ぶれない役割をする、ガイド板を付けた蓋２５と、ガイド溝を設けた取手９０には、（又ガイド溝を蓋に、ガイド板を取手に付け）蓋と筒体との開口巾を変更設定出来る、ストッパー９１を設け、ストッパーを指で出し入れする事で多段階に開口巾を変更出来る様にし、（尚図１５Ｅ−Ｅ断面・挿入要領でストッパー９１は取手９０にＤ側から挿入する）こませの放出量を変更できる構造にした、こませ籠。
【００２２】
請求項３又は請求項５の中で全開き蓋の物で、図２１の様に弾性性状を持つ蓋の閉止状態を保持するロック機構（蓋仮クランプ機構）の穴部を筒外周部に設け、更に蓋の閉止状態を保持するロック機構（蓋仮クランプ機構）とロック機構解除後の筒体と蓋との開口巾変更機構の軸部（凸部）を、（筒外周部に相対する蓋外周部に）棒体又は線体に複数個、多段階に設置し、目的の棚に達したとき、糸３に筒体の振動（シャクリ）が入ると、ロック機構（蓋仮クランプ機構）（７４）が解除され、続いて筒体の振動（シャクリ）が入ると開口巾変更機構（７４）が１段階ずつ解除され、その都度蓋２９と筒体１との開口巾が１段階ずつ広がり、こませ放出量を多段階に増やすことが出来る構造にした、こませ籠。
【００２３】
請求項３又は請求項５の中で全開き蓋の物で、図４６の様な弾性性状を持つ、蓋の閉止状態を保持するロック機構（蓋仮クランプ機構）の穴部を外筒１０１の外周部に設け（図４３）、更に蓋の閉止状態を保持するロック機構（蓋仮クランプ機構）とロック機構解除後の筒体と蓋との開口巾変更機構の軸部（凸部）を、（筒外周部に相対する蓋外周部に）棒体又は線体に複数個、多段階に設置し、更に蓋に水を通さない内筒を付け（２９２）、目的の棚に達したとき、糸３に筒体の振動（シャクリ）が入ると、ロック機構（蓋仮クランプ機構）（７４）が解除され、続いて筒体の振動（シャクリ）が入ると開口巾変更機構（７４）、が１段階ずつ解除され、その度に蓋に付いた内筒が上がり、１段階ずつ通水口が広がり（図４５）、その事により、こませ放出量を多段階に増やすことが出来る構造にした、こませ籠。
【００２４】
請求項３又は請求項５の中で全開き蓋の物で、図２７の蓋の閉止状態を保持するロック機構（蓋仮クランプ機構）の穴部、図２９・図３０を筒体底部に設け、更に蓋の閉止状態を保持するロック機構（蓋仮クランプ機構）とロック機構解除後の筒体と蓋との開口巾変更機構の軸部（凸部）を棒体又は線体に複数個、多段階に設け、更に棒体又は線体の下端部付近に、錘取替え機構を付けたもので、更に蓋にガイド棒２９３を、筒体にはガイド棒を受けるガイド穴１０２を設け、目的の棚に達したとき、糸３に筒体の振動（シャクリ）が入ると、ロック機構（蓋仮クランプ機構）（７３）が解除され、続いて筒体の振動（シャクリ）が入ると開口巾変更機構（７３）、が１段階ずつ解除され、その度に蓋２９１と筒体１との開口巾が１段階ずつ広がり、その事によりこませ放出量を多段階に増やすことが出来る構造にした、こませ籠。
【００２５】
請求項３又は請求項５の中で片開き蓋の物で、図１９の９４の様な取手（複数本の）をつけ、その取手に弾性性状を持ったストッパー９２（図２４・図２５）を取手に複数個、多段階に設け、目的の棚に達したとき、糸３に筒体の振動（シャクリ）が入ると、蓋の閉止状態を保持するロック機構（蓋仮クランプ機構）（７５）が解除され、続いて筒体の振動（シャクリ）が入るとロック機構解除後の筒体と蓋との開口巾変更機構（７５）の（凸部）ストッパーを１段階ずつ押し込んで飛び越し、その都度、蓋と筒体との開口巾が、１段階ずつ広がり、こませ放出量を多段階に増やすことが出来る構造にした、こませ籠。
【００２６】
請求項３の中で片開き蓋の物で、図３３の様に蝶番から遠い蓋外周部から、その蓋外周部の点が、蓋が開く時通る軌跡と同じ形をした取手９３をつけ、その取手に弾性性状を持ったストッパー９２を（図２４・図２５）を複数個、多段階に設け、目的の棚に達したとき、糸３に筒体の振動（シャクリ）が入ると、蓋の閉止状態を保持するロック機構（蓋仮クランプ機構）（７６）が解除され、続いて筒体の振動（シャクリ）が入ると、ロック機構解除後の筒体と蓋との開口巾変更機構（７６）の（凸部）ストッパーを１段階ずつ飛び越し、その都度蓋と筒体との開口巾が１段階ずつ広がり、こませ放出量を多段階に増やすことが出来る構造にした、こませ籠。
【００２７】
請求項５の中で片開き蓋の物で、図３３の上下を逆にして、筒体の振動（シャクリ）が入ると、蓋の閉止状態を保持するロック機構（蓋仮クランプ機構）（７６）が解除され、続いて筒体の振動（シャクリ）が入ると、ロック機構解除後の筒体と蓋との開口巾変更機構（７６）の（凸部）ストッパーを１段階ずつ押し込んで飛び越し、その都度蓋と筒体との開口巾が１段階ずつ広がり、こませ放出量を多段階に増やすことが出来る構造にし、底蓋側からこませを放出する、こませ籠。
【００２８】
請求項５の中で全開きの蓋の物で、筒体の振動（シャクリ）が入る力が掛かる糸を、５１に００１３の錘取替え機構を３１に連結することで、図３５の様になり、図２１の様に弾性性状を持つ蓋の閉止状態を保持するロック機構（蓋仮クランプ機構）の穴部を筒外周部に設け、蓋の閉止状態を保持するロック機構（蓋仮クランプ機構）とロック機構解除後の筒体と蓋との開口巾変更機構の軸部（凸部）を、（筒外周部に相対する蓋外周部に）棒体又は線体に複数個、多段階に設置し、筒体の振動（シャクリ）が入ると、蓋の閉止状態を保持するロック機構（蓋仮クランプ機構）（７４）が解除され、続いて筒体の振動（シャクリ）が入ると、ロック機構解除後の筒体と蓋との開口巾変更機構（７４）の蓋と筒体との開口巾が１段階ずつ広がり、こませ放出量を多段階に増やすことが出来る構造にし、底蓋よりこませが放出される、こませ籠。
【００２９】
図１−図４６での蓋の閉止状態を保持するロック機構（蓋仮クランプ機構）は、図で蓋ロック側・筒体ロックされる側となっている物で、逆にして筒体ロック側・蓋ロックされる側にも出来る物も、蓋の閉止状態を保持するロック機構（蓋仮クランプ機構）とロック機構解除後の筒体と蓋との開口巾変更機構とする。
【００３０】
実施例００１４−００２９の、片開き・両開き・複数枚開き・全開きの蓋と、蓋の閉止状態を保持するロック機構（蓋仮クランプ機構）や、ロック機構解除後の筒体と蓋との開口巾変更機構との組み合わせは任意に出来る。
【００３１】
蓋の閉止状態を保持するロック機構や、ロック機構解除後の筒体と蓋との開口巾変更機構は、多数考えられるが弾性性状を持つものを凸、凹又は両方に使った蓋の閉止状態を保持するロック機構や、ロック機構解除後の筒体と蓋との開口巾変更機構は、機構は変わっても当発明に含む。
【００３２】
請求項１の中で片開き蓋の物で、ロック機構解除後、籠吊り下げ糸の役割をする糸（数本）で籠上昇時のセンタリングを良くし、更に図９・図１０に示す、蓋の閉止状態を保持するロック機構（蓋仮クランプ機構）解除後に、籠吊り下げ糸の役割をする糸（数本）３５の長さで、ロック機構（蓋仮クランプ機構）解除後の、籠上昇時の筒体と蓋との開口巾が決まり、こませの放出量を設定できる構造にした、こませ籠
【図面の簡単な説明】
【００３３】
【図１】蓋２枚開き籠の断面図
【図２】蓋２枚開き籠のＡ矢視
【図３】ロック機構（蓋仮クランプ機構）７１のＡ−Ａ断面図
【図４】蓋２枚開き籠の実施例の要領図
【図５】蓋全開きロック機構（仮クランプ機構）２箇所２点吊り籠の断面図
【図６】蓋全開きロック機構（仮クランプ機構）２箇所２点吊り籠のＢ矢視
【図７】蓋全開きロック機構（仮クランプ機構）２箇所３点吊り籠の断面図
【図８】蓋全開きロック機構（仮クランプ機構）２箇所３点吊り籠のＣ矢視
【図９】蓋片開き、磁石でのロック機構（仮クランプ機構）間接３点吊り籠の斜視図
【図１０】蓋片開き、磁石でのロック機構（仮クランプ機構）解除後の間接３点吊り籠の斜視図
【図１１】蓋片開き３点の吊りの糸に数個輪を付けた籠の斜視図
【図１２】蓋片開きに取手を付けた籠の斜視図
【図１３】蓋片開き取手を付けた籠でロック機構（仮クランプ機構）を解除した籠の斜視図
【図１４】開口巾手動変更の取手を付けた斜視図
【図１５】図１４の開口巾手動変更のストッパー断面及び挿入要領図
【図１６】図１４の蓋斜視図
【図１７】９５の取手に開口巾を手動で変更出来るストッパーを付けた籠の斜視図
【図１８】図１７の籠、蓋上面図
【図１９】一段階ずつ放出量を変更できる機構の籠斜視図
【図２０】図１９の蓋上面図
【図２１】一段階ずつ放出量を変更できる機構の籠断面図
【図２２】図２１の蓋上面図
【図２３】図２１のロック（仮クランプ）状態を表すＨ−Ｈ断面
【図２４】ストッパーのＬ−Ｌ断面図
【図２５】図２４のＪ−Ｊ断面図
【図２６】図２１と図４２のＫ−Ｋ断面図
【図２７】一段階ずつ放出量を変更できる機構の籠断面図
【図２８】図２７のＦ矢視
【図２９】図２７のロック（仮クランプ）状態を表すＦ−Ｆ断面
【図３０】図２７の７３部詳細
【図３１】図２７のＧ−Ｇ断面図
【図３２】図１９の籠と錘取替え機構との間にＬ型天秤を取付けた図
【図３３】一段階ずつ放出量を変更できる機構の籠断面図
【図３４】図３３の上面図
【図３５】図２１・図２２・図２３の籠を上下逆にした籠断面図
【図３６】ロック機構（仮クランプ機構）のイメージ図―１・側面図・Ｃ−Ｃ断面図
【図３７】ロック機構（仮クランプ機構）のイメージ図―２・Ｃ−Ｃ断面図
【図３８】ロック機構（仮クランプ機構）のイメージ図―３・Ｂ−Ｂ断面図・１の斜視図
【図３９】ロック機構（仮クランプ機構）のイメージ図―４・Ｃ−Ｃ断面図
【図４０】ロック機構（仮クランプ機構）のイメージ図―５・Ｃ−Ｃ断面図
【図４１】ロック機構（仮クランプ機構）のイメージ図―６・上面図・Ｃ−Ｃ断面図
【図４２】図２１の蓋に内筒を付けた断面図
【図４３】筒体を外筒にした半断面図・半正面図
【図４４】図４２のＦ２矢視
【図４５】図４２と図４３を組み合わせた半断面図・半正面図
【図４６】Ｈ２−Ｈ２断面図
【符号の説明】
【００３４】
１・  筒体本体
１１・外筒こませ詰め込み口（通水口も兼ねる）
１２・外筒通水口
１０１・外筒
１０２・ガイド穴
２・  上蓋
２１・上蓋フリー側
２２・上ロック機構（仮クランプ機構）の軸部（凸）が付いたフリー蓋押さえ側
２３・図７の蓋
２４・磁石使用のロック機構（仮クランプ機構）で間接３点吊りの蓋
２５・図１４の蓋
２６・２５のガイド板
２７・図１７の蓋
２７１・図１９の蓋
２８・図３３の蓋
２９・図２１の蓋
２９１・図２７の蓋
２９２・内筒を付けた蓋
２９３・ガイド棒
３・  ロック機構（仮クランプ機構）を解除する、筒体の振動（シャクリ）を入れる力が掛かる糸
３１・３の糸結び付け部（又は錘・追加錘吊り下げ糸、結び付け部）
３２・全開き蓋の吊り下げ糸
３３・全開き蓋の吊り下げ糸の抜け止め
３４・全開き蓋の吊り輪付き吊り下げ糸
３５・ロック機構（仮クランプ機構）を解除後に籠吊り下げの役割をする糸
４・  錘・追加錘     
５・  錘・追加錘吊り下げ糸
５１・錘・追加錘吊り下げ糸、結び付け部（又は３の糸結び付け部）
５５・筒体底部（又は筒体上部）
６・  錘・追加錘、付け替えスナップサルカン
７・  ロック機構（仮クランプ機構）
７１・ロック機構（仮クランプ機構）
７２・磁石使用のロック機構（仮クランプ機構）
７３・筒体底部（又は筒体上部）のロック機構（仮クランプ機構）とロック機構解除後の筒体と蓋との開口巾変更機構
７４・ロック機構（仮クランプ機構）とロック機構解除後の筒体と蓋との開口巾変更機構
７４１・７４の蓋抜け止め
７５・ロック機構（仮クランプ機構）とロック機構解除後の筒体と蓋との開口巾変更機構
７６・ロック機構（仮クランプ機構）とロック機構解除後の筒体と蓋との開口巾変更機構
８・  磁石又は、磁石にくっつき磁力を伝道する磁力伝導体
８１・磁石にくっつき磁力を伝道する磁力伝導体又は、磁石。
８２・磁力伝導体に仮着させた（仮着解除された）、釣針付仕掛け
８３・Ｌ型天秤
９・  取手
９０・ガイド溝を付けた取手
９０１・９０の取手のガイド溝
９１・取手に付ける、開口巾手動変更設定のストッパー
９２・取手に付ける、筒体の振動（シャクリ）を入れる力が、掛かると引っ込むストッパー
９３・図３３に９２のストッパーを付けた取手
９４・９２のストッパー付、取手
９５・開口巾手動変更機構のストッパーを付けた取手
【手続補正３】
【補正対象書類名】図面
【補正対象項目名】全図
【補正方法】変更
【補正の内容】
【図１】
2006109842.tif 000001
【図２】
2006109842.tif 000002
【図３】
2006109842.tif 000003
【図４】
2006109842.tif 000004
【図５】
2006109842.tif 000005
【図６】
2006109842.tif 000006
【図７】
2006109842.tif 000007
【図８】
2006109842.tif 000008
【図９】
2006109842.tif 000009
【図１０】
2006109842.tif 000010
【図１１】
2006109842.tif 000011
【図１２】
2006109842.tif 000012
【図１３】
2006109842.tif 000013
【図１４】
2006109842.tif 000014
【図１５】
2006109842.tif 000015
【図１６】
2006109842.tif 000016
【図１７】
2006109842.tif 000017
【図１８】
2006109842.tif 000018
【図１９】
2006109842.tif 000019
【図２０】
2006109842.tif 000020
【図２１】
2006109842.tif 000021
【図２２】
2006109842.tif 000022
【図２３】
2006109842.tif 000023
【図２４】
2006109842.tif 000024
【図２５】
2006109842.tif 000025
【図２６】
2006109842.tif 000026
【図２７】
2006109842.tif 000027
【図２８】
2006109842.tif 000028
【図２９】
2006109842.tif 000029
【図３０】
2006109842.tif 000030
【図３１】
2006109842.tif 000031
【図３２】
2006109842.tif 000032
【図３３】
2006109842.tif 000033
【図３４】
2006109842.tif 000034
【図３５】
2006109842.tif 000035
【図３６】
2006109842.tif 000036
【図３７】
2006109842.tif 000037
【図３８】
2006109842.tif 000038
【図３９】
2006109842.tif 000039
【図４０】
2006109842.tif 000040
【図４１】
2006109842.tif 000041
【図４２】
2006109842.tif 000042
【図４３】
2006109842.tif 000043
【図４４】
2006109842.tif 000044
【図４５】
2006109842.tif 000045
【図４６】
2006109842.tif 000046